(57)【要約】【課題】より確実に改質水の逆流を抑制できる水周り機器を提供する。【解決手段】水の性質を改質して改質水を生成する改質水生成器と、改質水生成器よりも下流側に設けられ、改質水を吐水する吐水部と、改質水生成器よりも上流側に設けられた逆流防止装置と、を備え、逆流防止装置は、第１流路部と、第１流路部の下流に設けられた第２流路部と、第１流路部と第２流路部との間に設けられた中間室と、第１流路部と中間室との間に設けられた第１逆止弁と、第２流路部と中間室との間に設けられた第２逆止弁と、中間室内の水を排出する排出口と、排出口を開閉する逃がし弁と、第１流路部と中間室との間に差圧が発生した際に、逃し弁を動作させて排出口を開放する駆動部と、を有することを特徴とする水周り機器である。【選択図】図１
2018080481.tif 000002
【特許請求の範囲】
【請求項１】
上流から供給された水の性質を改質して改質水を生成する改質水生成器と、
前記改質水生成器よりも下流側に設けられ、前記改質水を吐水する吐水部と、
前記改質水生成器よりも上流側に設けられた逆流防止装置と、
を備え、
前記逆流防止装置は、
第１流路部と、
前記第１流路部の下流に設けられた第２流路部と、
前記第１流路部と前記第２流路部との間に設けられた中間室と、
前記第１流路部と前記中間室との間に設けられ、前記第１流路部と前記中間室とを区画する第１逆止弁と、
前記第２流路部と前記中間室との間に設けられ、前記第２流路部と前記中間室とを区画する第２逆止弁と、
前記中間室内の水を排出する排出口と、
前記排出口を開閉する逃がし弁と、
前記第１流路部と前記中間室との間に差圧が発生した際に、前記逃し弁を動作させて前記排出口を開放する駆動部と、
を有することを特徴とする水周り機器。
【請求項２】
前記排出口は、外部と連通しており、
前記排出口から排出された水を受ける水受け部をさらに備えたことを特徴とする請求項１記載の水周り機器。
【請求項３】
前記水受け部内の水位を検出する水位検出部をさらに備えたことを特徴とする請求項２記載の水周り機器。
【請求項４】
前記逆流防止装置の下流側に設けられ、前記逆流防止装置と前記吐水部との間の流路を開閉する流路弁を、さらに備えたことを特徴とする請求項１〜３のいずれか１つに記載の水周り機器。
【請求項５】
前記逆流防止装置は、隠蔽された部分に設けられることを特徴とする請求項１〜４のいずれか１つに記載の水周り機器。
【発明の詳細な説明】
【技術分野】
【０００１】
本発明の態様は、一般的に、水周り機器に関する。
【背景技術】
【０００２】
アルカリイオン水などの改質水を生成する改質水生成器を備えた水周り機器が知られている。このような水周り機器では、改質水が上水側に逆流することを抑制するため、改質水生成器よりも上流側に逆止弁を設けている。
【０００３】
しかしながら、逆止弁を備えた水周り機器では、逆止弁にゴミ噛みが発生した状態で、逆止弁よりも上流側に負圧が発生した場合、あるいは逆止弁よりも下流側から逆圧が発生した場合に、逆止弁の本来の機能が果たされず、改質水生成器によって生成された改質水が上水側に逆流してしまう可能性がある。
【０００４】
このため、改質水生成器を備えた水周り機器では、より確実に改質水の逆流を抑制できるようにすることが望まれる。
【先行技術文献】
【特許文献】
【０００５】
【特許文献１】特表昭６３−５０１８１５号公報
【発明の概要】
【発明が解決しようとする課題】
【０００６】
本発明は、かかる課題の認識に基づいてなされたものであり、より確実に改質水の逆流を抑制できる水周り機器を提供することを目的とする。
【課題を解決するための手段】
【０００７】
第１の発明は、上流から供給された水の性質を改質して改質水を生成する改質水生成器と、前記改質水生成器よりも下流側に設けられ、前記改質水を吐水する吐水部と、前記改質水生成器よりも上流側に設けられた逆流防止装置と、を備え、前記逆流防止装置は、第１流路部と、前記第１流路部の下流に設けられた第２流路部と、前記第１流路部と前記第２流路部との間に設けられた中間室と、前記第１流路部と前記中間室との間に設けられ、前記第１流路部と前記中間室とを区画する第１逆止弁と、前記第２流路部と前記中間室との間に設けられ、前記第２流路部と前記中間室とを区画する第２逆止弁と、前記中間室内の水を排出する排出口と、前記排出口を開閉する逃がし弁と、前記第１流路部と前記中間室との間に差圧が発生した際に、前記逃し弁を動作させて前記排出口を開放する駆動部と、を有することを特徴とする水周り機器である。
【０００８】
この水周り機器によれば、改質水生成器の上流に逆流防止装置を設け、第１流路部と中間室との間に差圧が発生した際に、駆動部が逃がし弁を動作させて排出口を開放するようにしている。これにより、中間室に空気が取り込まれるため、例えば、第１逆止弁にゴミ噛みなどが発生した場合でも、改質水が第１逆止弁よりも上流側に逆流してしまうことを抑制することができる。また、例えば、第２逆止弁にゴミ噛みなどが発生した場合でも、第２逆止弁から逆流した水が、排出口から中間室の外部に排出されるため、改質水が第１逆止弁よりも上流側に逆流してしまうことを抑制することができる。従って、より確実に改質水の逆流を抑制できる水周り機器を提供することができる。
【０００９】
第２の発明は、第１の発明において、前記排出口は、外部と連通しており、前記排出口から排出された水を受ける水受け部をさらに備えたことを特徴とする水周り機器である。
【００１０】
この水周り機器によれば、逆流防止装置から排出された水を受ける水受け部が設けられているので、例えば、キッチンのカウンタやキャビネット内に逆流防止装置を設置した場合に、排出口から排出された水がカウンタやキャビネット内に排出されてしまうことを抑制することができる。また、例えば、排水管に排出口を直結する場合に比べて、逆流防止装置の取り扱い性を向上させることができる。例えば、汚れなどによる排出口の詰まりを抑制できるとともに、中間室に空気を取り込み易くすることもできる。
【００１１】
第３の発明は、第２の発明において、前記水受け部内の水位を検出する水位検出部をさらに備えたことを特徴とする水周り機器である。
【００１２】
この水周り機器によれば、水受け部内の水位を検出する水位検出部をさらに備えているので、水受け部の水位を検出し、水受け部からの漏水を抑制することができる。
【００１３】
第４の発明は、第１〜第３の発明のいずれか１つにおいて、前記逆流防止装置の下流側に設けられ、前記逆流防止装置と前記吐水部との間の流路を開閉する流路弁を、さらに備えたことを特徴とする水周り機器である。
【００１４】
この水周り機器によれば、流路弁を閉じることにより、例えば、第２逆止弁にゴミ噛みなどが発生した場合に、第２逆止弁と吐水部との間の流路内に残った水が、吐水部から排出されてしまうことを抑制することができる。
【００１５】
第５の発明は、第１〜第４の発明のいずれか１つにおいて、前記逆流防止装置は、隠蔽された部分に設けられることを特徴とする水周り機器である。
【００１６】
この水周り機器によれば、例えば、キッチンカウンタ下のキャビネット内などの隠蔽された部分に逆流防止装置を設けることで、水周り機器全体の意匠性を向上させることができる。
【発明の効果】
【００１７】
本発明の態様によれば、より確実に改質水の逆流を抑制できる水周り機器が提供される。
【図面の簡単な説明】
【００１８】
【図１】実施形態に係る水周り機器を表す側面図である。
【図２】図２（ａ）及び図２（ｂ）は、逆流防止装置を表す断面図である。
【図３】実施形態に係る水周り機器を表すブロック図である。
【図４】実施形態に係る水周り機器の変形例を表すブロック図である。
【図５】実施形態に係る水周り機器の変形例を表す側面図である。
【図６】実施形態に係る水周り機器の変形例を表すブロック図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、実施形態に係る水周り機器を表す側面図である。  
図１に表したように、水周り機器１０は、改質水生成器１２と、水栓本体１４と、逆流防止装置１６と、水受け部１８と、水位検出部２０と、を備える。
【００２０】
改質水生成器１２は、上流から供給された水の性質を改質することにより、供給された水から改質水を生成する。改質水生成器１２は、逆流防止装置１６を介して給水源ＷＳに接続される。給水源ＷＳは、例えば、給水管や給湯管である。改質水生成器１２には、例えば、水道水（上水）が供給される。改質水生成器１２は、例えば、水道水を電気分解することにより、水道水からアルカリイオン水や酸性水を改質水として生成する。
【００２１】
水栓本体１４は、吐水部３０と、第１流量調整部３１と、第２流量調整部３２と、を有する。吐水部３０は、改質水生成器１２よりも下流側に設けられ、改質水を吐水する吐水口３０ａを有する。吐水部３０は、例えば、改質水を吐水するとともに、原水を吐水する。原水とは、改質前の水であり、例えば水道水である。吐水部３０は、例えば、アルカリイオン水や酸性水を吐水口３０ａから吐水するとともに、水道水を吐水口３０ａから吐水する。
【００２２】
第１流量調整部３１は、原水の吐止水の切り替えに用いられる。第２流量調整部３２は、改質水の吐止水の切り替えに用いられる。第１流量調整部３１を操作することにより、吐水口３０ａから水道水が吐水され、第２流量調整部３２を操作することにより、吐水口３０ａからアルカリイオン水や酸性水が吐水される。また、第１流量調整部３１は、例えば、原水の吐止水を切り替えるとともに、吐水される原水の流量及び温度を調整する。第２流量調整部３２は、例えば、改質水の吐止水を切り替えるとともに、吐水される改質水の流量を調整する。
【００２３】
第１流量調整部３１及び第２流量調整部３２は、例えば、水栓本体１４と別体に設けてもよい。水栓本体１４は、少なくとも吐水部３０を有していればよい。
【００２４】
逆流防止装置１６は、改質水生成器１２よりも上流側に設けられる。逆流防止装置１６は、改質水生成器１２と給水源ＷＳとの間に設けられる。逆流防止装置１６は、一次側（給水源ＷＳ側）に負圧が発生した際に、内部の流路を閉じるとともに、内部の水を排出し、内部に空気を取り込むことにより、一次側と二次側とを空気層で切り離す。換言すれば、逆流防止装置１６は、一次側に負圧が発生した際に、一次側と二次側とを縁切りする。これにより、逆流防止装置１６は、一次側に負圧が発生した際に、改質水生成器１２で生成された改質水が一次側に逆流することを抑制する。
【００２５】
水受け部１８は、逆流防止装置１６の下方に設けられ、逆流防止装置１６から排出された水を受ける。
【００２６】
水位検出部２０は、水受け部１８内の水位を検出する。水位検出部２０は、例えば、水受け部１８内の水位に応じて上下に移動するフロートを有し、フロートの位置によって水受け部１８内の水位を検出する。水位検出部２０は、例えば、赤外光や超音波などを用いて水面までの距離を測定することで水位を検出する検出器や、水受け部１８の重量の変化から間接的に水位を検出する検出器などでもよい。水位検出部２０は、水受け部１８内の水位を検出可能な任意の検出器でよい。
【００２７】
水周り機器１０は、例えば、システムキッチン２に用いられる。システムキッチン２は、例えば、カウンタ３と、カウンタ３から下方に向かって凹状に形成されたシンク４と、カウンタ３及びシンク４の下方に設けられたキャビネット５と、を有する。キャビネット５は、カウンタ３及びシンク４を支持するとともに、中空状に形成され、内部の空間に物品を収納可能とする。キャビネット５は、引き出し式でもよいし、扉式でもよい。
【００２８】
水栓本体１４は、例えば、カウンタ３の上やシンク４内に設けられ、シンク４内に向けて吐水口３０ａから原水又は改質水を吐水する。シンク４は、図示を省略した排水口を有し、水栓本体１４から吐水された水を排水口を介して外部の排水管などに排水する。
【００２９】
改質水生成器１２、逆流防止装置１６、水受け部１８、及び水位検出部２０は、例えば、キャビネット５内に設けられる。このように、改質水生成器１２、逆流防止装置１６、水受け部１８、及び水位検出部２０は、キャビネット５などによって隠蔽された部分に設けられる。換言すれば、水周り機器１０において、水栓本体１４以外の部分は、隠蔽された部分に設けられる。これにより、水周り機器１０全体の意匠性を向上させることができる。
【００３０】
水周り機器１０は、システムキッチン２に限ることなく、例えば、洗面化粧台などに用いてもよい。水栓本体１４は、例えば、洗面化粧台の洗面ボウルに向けて原水や改質水を吐水するように構成してもよい。水周り機器１０は、例えば、浴室において浴槽や洗い場に吐水する機器に適用してもよいし、トイレにおいて便器に取り付けて用いられる衛生洗浄装置などに適用してもよい。
【００３１】
図２（ａ）及び図２（ｂ）は、逆流防止装置を表す断面図である。  
図２（ａ）及び図２（ｂ）に表したように、逆流防止装置１６は、本体部４０を有する。本体部４０は、第１流路部４１と、第２流路部４２と、中間室４３と、排出口４４と、を有する。第２流路部４２は、第１流路部４１の下流に設けられる。中間室４３は、第１流路部４１と第２流路部４２との間に設けられる。
【００３２】
排出口４４は、中間室４３に設けられ、中間室４３内の水を排出する。排出口４４は、例えば、中間室４３（本体部４０）の下端に設けられ、中間室４３を下方に開口させる。また、排出口４４は、例えば、上面視において中間室４３の略中央に設けられる。
【００３３】
排出口４４は、外部と連通している。水受け部１８は、排出口４４の下方に設けられ、排出口４４から排出された水を受ける。水受け部１８は、例えば、上方を開口させた容器状である。水受け部１８の容積は、中間室４３の容積よりも大きい。水受け部１８は、例えば、中間室４３から排出された水を数回受けられる容積に設定される。水受け部１８は、排出口４４から排出された水を内部に溜め、自然蒸発させる。これにより、中間室４３から水が排出された場合にも、使用者に余計な手間をかけさせることを抑制することができる。例えば、排出口４４に配管などを接続し、排出口４４から排出された水が、配管から外部の排水管に排水されるようにしてもよい。この場合、水受け部１８は、省略してもよい。
【００３４】
逆流防止装置１６は、第１逆止弁５１と、第２逆止弁５２と、逃がし弁５３と、駆動部５４と、をさらに有する。第１逆止弁５１は、第１流路部４１と中間室４３との間に設けられ、第１流路部４１と中間室４３とを区画する。第２逆止弁５２は、第２流路部４２と中間室４３との間に設けられ、第２流路部４２と中間室４３とを区画する。
【００３５】
逃がし弁５３は、排出口４４を開閉する。逃がし弁５３は、例えば、中間室４３内に設けられ、上方から排出口４４を塞ぐ。
【００３６】
駆動部５４は、第１逆止弁５１及び第２逆止弁５２と逃がし弁５３とを連動させ、第１流路部４１と中間室４３との間に差圧が発生した際に、逃がし弁５３を動作させて排出口４４を開放する。
【００３７】
本体部４０は、例えば、連結路４５をさらに有する。連結路４５は、中間室４３の上方に設けられ、第１流路部４１と連結されている。
【００３８】
駆動部５４は、例えば、ダイヤフラム５５と、接続部材５６と、を有する。ダイヤフラム５５は、中間室４３と連結路４５との間に設けられ、中間室４３と連結路４５とを区画する。ダイヤフラム５５は、例えば、軸部５５ａと、膜状部５５ｂと、を有する。軸部５５ａは、例えば、逃がし弁５３の直上に設けられ、本体部４０に上下方向に移動可能に支持される。膜状部５５ｂは、ゴムなどの弾性体によって膜状に形成されている。膜状部５５ｂは、軸部５５ａの周囲に設けられ、中間室４３と連結路４５とを連通させる開口部を塞ぐ。接続部材５６は、ダイヤフラム５５の軸部５５ａと逃がし弁５３とを接続する。接続部材５６には、例えば、金属シャフト、ボールチェーン、あるいはワイヤなどが用いられる。
【００３９】
逆流防止装置１６では、給水源ＷＳの一次圧が第１流路部４１側に加わった際に、図２（ａ）に表したように、第１逆止弁５１及び第２逆止弁５２が開く。また、この際、一次圧を受けてダイヤフラム５５が下方に撓み、逃がし弁５３が排出口４４を塞ぐ。これにより、給水源ＷＳから供給された原水が、第２流路部４２よりも下流に流れ、改質水生成器１２に供給される。
【００４０】
一方、逆流防止装置１６では、第１流路部４１側に負圧が加わった際に、図２（ｂ）に表したように、第１逆止弁５１及び第２逆止弁５２が閉じる。そして、負圧を受けてダイヤフラム５５が上方に撓むことにより、接続部材５６を介して逃がし弁５３が上方に移動し、逃がし弁５３が排出口４４を開放する。これにより、第１流路部４１と中間室４３との間に差圧が発生した際に、第１逆止弁５１及び第２逆止弁５２によって第１流路部４１と第２流路部４２との間の流路が閉塞されるとともに、排出口４４が開いて中間室４３内の水が排出され、第１流路部４１と第２流路部４２とが空気層によって切り離される。これにより、一次側に負圧が発生した場合などにも、改質水の上水側への逆流を抑制することができる。逆流防止装置１６は、いわゆる減圧式逆流防止器である。
【００４１】
図３は、実施形態に係る水周り機器を表すブロック図である。  
図３に表したように、水栓本体１４の第１流量調整部３１は、給水配管６１及び給湯配管６２を介して給水源ＷＳと接続されている。第１流量調整部３１には、給水配管６１及び給湯配管６２を介して水とお湯とが供給される。第１流量調整部３１は、使用者の操作に応じて水及びお湯のそれぞれの流量を調整し、水及びお湯を混合して吐水部３０に供給する。これにより、流量及び温度が調整された原水が、吐水部３０の吐水口３０ａから吐水される。
【００４２】
また、図３に表したように、水周り機器１０は、例えば、制御部７０と、第１流路弁７１と、第２流路弁７２（流路弁）と、操作部７３と、流量センサ７４と、報知部７５と、をさらに備える。制御部７０は、水周り機器１０の各部の動作を制御する。
【００４３】
第１流路弁７１は、改質水生成器１２よりも上流側に設けられ、改質水生成器１２に原水を供給する流路を開閉する。第１流路弁７１は、分岐配管６３を介して給水配管６１及び給水源ＷＳと接続される。第１流路弁７１は、分岐配管６３と逆流防止装置１６との間に設けられる。これにより、第１流路弁７１を開くことで、逆流防止装置１６及び改質水生成器１２に原水が供給される。第１流路弁７１は、例えば、逆流防止装置１６や改質水生成器１２に給水源ＷＳの一次圧が常時加わることを抑制する。
【００４４】
第２流路弁７２は、逆流防止装置１６の下流側に設けられ、逆流防止装置１６と吐水口３０ａとの間の流路を開閉する。この例では、第２流路弁７２が、改質水生成器１２の下流に設けられている。第２流路弁７２は、例えば、逆流防止装置１６と改質水生成器１２との間に設けてもよい。第２流路弁７２の位置は、逆流防止装置１６よりも下流の任意の位置でよい。
【００４５】
第１流路弁７１及び第２流路弁７２は、制御部７０と電気的に接続されている。第１流路弁７１及び第２流路弁７２の開閉は、制御部７０によって制御される。すなわち、この例において、第１流路弁７１及び第２流路弁７２は、いわゆる電磁弁である。第１流路弁７１及び第２流路弁７２は、これに限ることなく、手動で開閉を切り替える弁でもよい。
【００４６】
制御部７０は、改質水の非吐水時には、第１流路弁７１及び第２流路弁７２を閉状態にする。そして、制御部７０は、改質水生成器１２を動作させ、改質水を生成して吐水口３０ａから吐水する時に、第１流路弁７１及び第２流路弁７２を開状態にする。制御部７０は、改質水生成器１２による改質水の生成に連動して、第１流路弁７１及び第２流路弁７２の開閉を切り替える。このように、第１流路弁７１及び第２流路弁７２は、例えば、改質水生成器１２と連動する電磁弁である。なお、第１流路弁７１及び第２流路弁７２は、必ずしも改質水生成器１２の動作と連動させる必要はない。例えば、改質水生成器１２を停止させたまま、改質水生成器１２側の流路に原水を通水させるために第１流路弁７１及び第２流路弁７２を作動させてもよい。
【００４７】
水栓本体１４の第２流量調整部３２は、第２流路弁７２の下流に接続されるとともに、分岐配管６４を介して第１流量調整部３１よりも下流の給水配管６１に接続される。第１流量調整部３１は、第２流量調整部３２側から流入した水が、第１流量調整部３１よりも上流側に流出することを抑制する。これにより、第２流路弁７２及び第２流量調整部３２を開くことで、改質水生成器１２で生成された改質水が、吐水部３０の吐水口３０ａから吐水される。この例では、第１流量調整部３１が分岐配管６３と分岐配管６４との間に設けられている。第１流量調整部３１の位置は、これに限ることなく、例えば、分岐配管６３よりも上流側に設けてもよいし、分岐配管６４よりも下流側に設けてもよい。第１流量調整部３１の位置は、適宜変更可能である。
【００４８】
操作部７３は、制御部７０と電気的に接続されている。操作部７３は、使用者の操作に応じて制御部７０に各種の操作指示を制御部７０に入力する。操作部７３は、例えば、アルカリイオン水の吐水や酸性水の吐水、及び吐水するアルカリイオン水や酸性水のｐＨ値などを制御部７０に入力する。なお、操作部７３から制御部７０への指示の入力は、有線でもよいし、無線を介して行ってもよい。
【００４９】
流量センサ７４は、改質水生成器１２よりも上流側に設けられ、改質水生成器１２に供給される水の流量を測定する。流量センサ７４は、制御部７０と電気的に接続され、流量の測定結果を制御部７０に入力する。
【００５０】
報知部７５は、水受け部１８内の水位が上限に達したことを水位検出部２０が検出した際に、報知を行う。水位検出部２０及び報知部７５は、制御部７０と電気的に接続されている。水位検出部２０は、水受け部１８内の水位の検出結果を制御部７０に入力する。制御部７０は、水位検出部２０の検出結果が上限に達した際に、報知部７５を動作させ、水受け部１８内の水位が上限に達したことを、使用者などに報知する。報知部７５は、例えば、ランプを点灯させたり、音声を出力することにより、使用者などに報知を行う。報知部７５の報知の態様は、水受け部１８内の水位が上限に達したことを報知可能な任意の態様でよい。報知部７５は、例えば、発光素子、スピーカ、又は表示装置など、報知の態様に応じた任意の部材でよい。
【００５１】
改質水生成器１２は、電解槽８０と、電磁弁８２と、を有する。電解槽８０の内部には、陽極板および陰極板が設けられている。電解槽８０は、制御部７０と電気的に接続されている。電解槽８０は、制御部７０から送信される信号に基づいて、内部を流れる水道水を電気分解する。これにより、電解槽８０は、水道水からアルカリイオン水と酸性水とを改質水として生成する。
【００５２】
電磁弁８２は、電解槽８０に接続されるとともに、水栓本体１４に設けられた捨水口３３に接続されている。また、電磁弁８２は、制御部７０と電気的に接続され、制御部７０の制御に基づいて開閉する。
【００５３】
制御部７０は、電解槽８０の動作時に電磁弁８２を開く。電解槽８０は、操作部７３からアルカリイオン水の吐水が指示された場合、電気分解で生成されたアルカリイオン水を吐水口３０ａに送り、吐水口３０ａから吐水させるとともに、電気分解で生成された酸性水を捨水口３３に送り、捨水口３３からシンク４などに排出する。電解槽８０は、反対に、操作部７３から酸性水の吐水が指示された場合、電気分解で生成された酸性水を吐水口３０ａに送り、吐水口３０ａから吐水させるとともに、電気分解で生成されたアルカリイオン水を捨水口３３に送り、捨水口３３からシンク４などに排出する。
【００５４】
なお、捨水口３３は、必ずしも水栓本体１４に一体に設ける必要はなく、水栓本体１４とは別に設けてもよい。
【００５５】
次に、本実施形態に係る水周り機器１０の動作について説明する。  
水周り機器１０の制御部７０は、使用者の操作により、操作部７３からアルカリイオン水の吐水が指示されると、第１流路弁７１及び第２流路弁７２を閉状態から開状態に切り替える。この後、使用者が第２流量調整部３２を操作し、第２流量調整部３２を開くことにより、改質水生成器１２に原水が供給される。
【００５６】
制御部７０は、使用者が第２流量調整部３２を開き、改質水生成器１２に原水が供給されたことを流量センサ７４によって検知すると、電解槽８０を動作させ、水道水の電気分解を開始するとともに、電磁弁８２を開く。これにより、吐水口３０ａからアルカリイオン水が吐水されるとともに、捨水口３３から酸性水が排出される。
【００５７】
制御部７０は、例えば、使用者が第２流量調整部３２を閉じたことを流量センサ７４によって検知した場合、あるいは電解槽８０の動作開始から所定時間が経過した場合に、電解槽８０の動作を停止させ、電磁弁８２を閉じるとともに、第１流路弁７１及び第２流路弁７２を開状態から閉状態に切り替える。
【００５８】
本実施形態に係る水周り機器１０では、改質水生成器１２の上流に逆流防止装置１６を設け、第１流路部４１と中間室４３との間に差圧が発生した際に、駆動部５４が逃がし弁５３を動作させて排出口４４を開放するようにしている。これにより、中間室４３に空気が取り込まれるため、例えば、第１逆止弁５１にゴミ噛みなどが発生した場合でも、改質水が第１逆止弁５１よりも上流側に逆流してしまうことを抑制することができる。また、例えば、第２逆止弁５２にゴミ噛みなどが発生した場合でも、第２逆止弁５２から逆流した水が、排出口４４から中間室４３の外部に排出されるため、改質水が第１逆止弁５１よりも上流側に逆流してしまうことを抑制することができる。従って、より確実に改質水の逆流を抑制できる水周り機器１０を提供することができる。
【００５９】
また、水周り機器１０では、逆流防止装置１６から排出された水を受ける水受け部１８が設けられているので、例えば、システムキッチン２のカウンタ３やキャビネット５内に逆流防止装置１６を設置した場合に、排出口４４から排出された水がカウンタ３やキャビネット５内に排出されてしまうことを抑制することができる。また、例えば、排水管に排出口４４を直結する場合に比べて、逆流防止装置１６の取り扱い性を向上させることができる。例えば、汚れなどによる排出口４４の詰まりを抑制できるとともに、中間室４３に空気を取り込み易くすることもできる。
【００６０】
また、水周り機器１０では、水受け部１８内の水位を検出する水位検出部２０をさらに備えているので、水受け部１８の水位を検出し、水受け部１８からの漏水を抑制することができる。また、報知部７５を設け、水位検出部２０の検出結果を基に、水受け部１８内の水位が上限に達したことを使用者などに報知することにより、水受け部１８からの漏水をより確実に抑制することができる。
【００６１】
また、水周り機器１０では、第２流路弁７２を閉じることにより、一次側に負圧が発生して逆流防止装置１６の排出口４４が開き、第２逆止弁５２よりも下流側が大気開放された状態で、第２逆止弁５２にゴミ噛みなどが発生した場合に、第２逆止弁５２と吐水部３０との間の流路内に残った水が、吐水部３０の吐水口３０ａから排出されてしまうことを抑制することができる。
【００６２】
また、水周り機器１０では、例えば、システムキッチン２のカウンタ３の下に設けられたキャビネット５内などの隠蔽された部分に逆流防止装置１６を設けることで、水周り機器１０全体の意匠性を向上させることができる。
【００６３】
また、逆流防止装置１６は、給水源ＷＳから延びる流路に直結するように設けられている。換言すると、給水源ＷＳから逆流防止装置１６へ延びる流路中に、縁切りされたタンク等が設けられていない。このように、縁切りされたタンク等を設ける必要が無いため、よりコンパクトな構成で、改質水の逆流を防止することができる。
【００６４】
図４は、実施形態に係る水周り機器の変形例を表すブロック図である。  
図４に表したように、この例では、改質水生成器１２が、添加剤供給部８４をさらに有する。添加剤供給部８４は、電解槽８０の上流側に設けられ、電解槽８０に供給する原水に添加剤を供給する。添加剤供給部８４は、制御部７０と電気的に接続され、制御部７０の制御に基づいて動作する。添加剤供給部８４は、例えば、カルシウムを電気分解促進剤（添加剤）として原水に供給する。これにより、例えば、電解槽８０においてｐＨ値１０以上の強いアルカリイオン水を生成することができる。
【００６５】
このように、改質水生成器１２は、添加剤供給部８４を有し、添加剤供給部８４から原水に添加剤を供給することにより、改質水を生成する構成でもよい。この場合、改質水が上水の水質基準から外れてしまう可能性がある。このような場合に、上記のように逆流防止装置１６を設け、改質水の逆流を抑制することが、より効果的である。強いアルカリ性のアルカリイオン水や酸性度の高い酸性水などを改質水として生成する場合でも、改質水の逆流を適切に抑制し、上水への影響を適切に抑制することができる。
【００６６】
上記実施形態では、アルカリイオン水及び酸性水を改質水として生成する改質水生成器１２を示している。改質水生成器１２は、これに限ることなく、例えば、水道水を電気分解することによって次亜塩素酸を含む液を改質水として生成する構成や、原水に炭酸水素ナトリウムや炭酸ガス（二酸化炭素）を添加剤として原水に供給することにより、炭酸水を改質水として生成する構成などでもよい。
【００６７】
また、改質水は、例えば、銀イオンや銅イオンなどの金属イオンを含む液でもよい。あるいは、電解塩素やオゾンを含む液などでもよい。改質水生成器１２は、原水を改質して原水と異なる性質の水を生成する任意の構成でよい。
【００６８】
上記実施形態では、電磁弁の第２流路弁７２を設けている。これに限ることなく、例えば、手動で操作される第２流量調整部３２を第２流路弁としてもよい。但し、上記のように電磁弁の第２流路弁７２を設け、改質水生成器１２と連動させて第２流路弁７２を設けることにより、例えば、手動操作による閉め忘れを抑制することができる。第２流量調整部３２を閉め忘れ、排出口４４が開放された際に、吐水口３０ａから水が排出されてしまうことを、より確実に抑制することができる。
【００６９】
上記実施形態では、水栓本体１４の第２流量調整部３２を改質水生成器１２の下流側に配置している。第２流量調整部３２は、例えば、逆流防止装置１６の上流側に設けてもよい。この場合には、手動操作される第２流量調整部３２を第１流路弁７１として用いてもよい。
【００７０】
上記実施形態では、原水と改質水とを同じ吐水口３０ａから吐水している。これに限ることなく、原水は、改質水と異なる吐水口から吐水するようにしてもよい。また、水周り機器１０は、原水と改質水とを吐水可能な構成に限ることなく、例えば、改質水のみを吐水する構成でもよい。
【００７１】
図５は、実施形態に係る水周り機器の変形例を表す側面図である。  
図５に表したように、水周り機器１００は、先端分岐具１０２を有する。なお、上記実施形態と機能・構成上実質的に同じものについては、同符号を付し、詳細な説明は省略する。
【００７２】
先端分岐具１０２は、水栓本体１４の吐水部３０の吐水口３０ａに取り付けられる。先端分岐具１０２は、可撓性を有するチューブなどの配管を介して逆流防止装置１６及び改質水生成器１２と接続される。水周り機器１００では、改質水生成器１２及び逆流防止装置１６が、水栓本体１４の第１流量調整部３１よりも下流に設けられる。改質水生成器１２及び逆流防止装置１６には、水栓本体１４及び先端分岐具１０２を介して原水が供給される。
【００７３】
改質水生成器１２は、可撓性を有するチューブなどの配管を介して先端分岐具１０２と接続される。改質水生成器１２は、生成した改質水を先端分岐具１０２に戻す。先端分岐具１０２は、水栓本体１４から供給された原水の経路を切り替えることにより、原水と改質水とを選択的に切り替えて吐水する。
【００７４】
また、水周り機器１００では、改質水生成器１２及び逆流防止装置１６が、カウンタ３の上に設けられる。
【００７５】
改質水生成器１２及び逆流防止装置１６は、上記実施形態と同様に、キャビネット５内に設けてもよい。但し、改質水生成器１２及び逆流防止装置１６を先端分岐具１０２に接続する場合には、改質水生成器１２及び逆流防止装置１６をカウンタ３の上に設けることにより、先端分岐具１０２との接続を容易にすることができる。例えば、既存のシステムキッチン２に水周り機器１００を後付けする場合に、カウンタ３やキャビネット５などに加工を要することなく、水周り機器１００を簡単に取り付けることができる。
【００７６】
図６は、実施形態に係る水周り機器の変形例を表すブロック図である。  
図６に表したように、先端分岐具１０２は、流路切替弁１１０と、吐水口１１２と、捨水口１１４と、を有する。流路切替弁１１０は、吐水部３０の吐水口３０ａ、第１流路弁７１、及び吐水口１１２と接続されている。流路切替弁１１０は、吐水口３０ａから供給された原水を第１流路弁７１に供給する経路と、吐水口１１２に供給する経路と、を切り替える。流路切替弁１１０は、例えば、手動操作により、各経路を切り替える。流路切替弁１１０は、換言すれば、三方弁である。
【００７７】
流路切替弁１１０を吐水口１１２側に切り替える。これにより、先端分岐具１０２の吐水口１１２から原水が吐水される。一方、流路切替弁１１０を第１流路弁７１側に切り替える。これにより、改質水生成器１２に原水が供給される。
【００７８】
改質水生成器１２の電解槽８０は、第２流路弁７２を介して吐水口１１２と接続されるとともに、電磁弁８２を介して捨水口１１４と接続される。これにより、先端分岐具１０２の吐水口１１２から改質水が吐水されるとともに、酸性水などの不要な水が、捨水口１１４からシンク４などに排出される。
【００７９】
この水周り機器１００においても、改質水生成器１２の上流に逆流防止装置１６を設けることにより、上記実施形態と同様に、より確実に改質水の逆流を抑制することができる。このように、改質水生成器１２への原水の分岐は、第１流量調整部３１よりも下流側で行ってもよいし、図３などに関して説明したように、第１流量調整部３１よりも上流側で行ってもよい。
【００８０】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、水周り機器１０、１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８１】
２ システムキッチン、  ３ カウンタ、  ４ シンク、  ５ キャビネット、  １０、１００ 水周り機器、  １２ 改質水生成器、  １４ 水栓本体、  １６ 逆流防止装置、  １８ 水受け部、  ２０ 水位検出部、  ３０ 吐水部、  ３０ａ 吐水口、  ３１ 第１流量調整部、  ３２ 第２流量調整部、  ３３ 捨水口、  ４０ 本体部、  ４１ 第１流路部、  ４２ 第２流路部、  ４３ 中間室、  ４４ 排出口、  ４５ 連結路、  ５１ 第１逆止弁、  ５２ 第２逆止弁、  ５３ 逃がし弁、  ５４ 駆動部、  ５５ ダイヤフラム、  ５６ 接続部材、  ６１ 給水配管、  ６２ 給湯配管、  ６３、６４ 分岐配管、  ７０ 制御部、  ７１ 第１流路弁、  ７２ 第２流路弁（流路弁）、  ７３ 操作部、  ７４ 流量センサ、  ７５ 報知部、  ８０ 電解槽、  ８２ 電磁弁、  ８４ 添加剤供給部、  １１０ 流路切替弁、  １１２ 吐水口、  １１４ 捨水口
【図１】
2018080481.tif 000003
【図２】
2018080481.tif 000004
【図３】
2018080481.tif 000005
【図４】
2018080481.tif 000006
【図５】
2018080481.tif 000007
【図６】
2018080481.tif 000008